(57)【要約】【課題】毛穴中の皮脂、汚れの除去と脱毛が簡単に且つ効率よく、また皮膚のマッサージ効果が得られる器具を提供する。【解決手段】内部に収納部をもつハウジングと、このハウジングに支持された回転軸を介して軸回りに回転可能に所定の間隔で保持される複数枚の可撓変形可能な円板と、前記ハウジングに取り付け前記円板側面をその回転軸方向に押圧し、隣り合う円板間を狭めることのできる押圧手段とよりなり、かつ前記複数枚の円板は、ほぼ同一の半径を有し、押圧手段で押圧したとき、周端面が同一面となるように密着する形状を有していることにより、作動部が肌に沿って転動する動作に伴い、隣りあう円板の隙間が密着、開くという動きを連続的に行う様構成したことを特徴とする美容器具である。【選択図】図３
2005013685.tif 000002
【特許請求の範囲】
【請求項１】
内部に収納部をもつハウジングと、このハウジングに支持された回転軸を介して軸回りに回転可能に所定の間隔で保持される複数枚の可撓変形可能な円板と、前記ハウジングに取り付け前記円板側面をその回転軸方向に押圧し、隣り合う円板間を狭めることのできる押圧手段とよりなり、かつ前記複数枚の円板は、ほぼ同一の半径を有し、押圧手段で押圧したとき、周端面が同一面となるように密着する形状を有していることを特徴とする美容器具。
【請求項２】
前記円板の間に嵌合する櫛状の掻き取り板を具備することを特徴とする請求項１に記載の美容器具。
【発明の詳細な説明】
【０００１】
【発明の属する技術分野】
本発明は、美容器具に関し、詳しくは、毛穴中の皮脂、汚れの除去と脱毛及び皮膚のマッサージを簡易に効率よくおこなえるようにしようとする美容器具に関するものである。
【０００２】
【従来の技術】
従来、毛穴中の皮脂、汚れ除去を目的とする手段のとしては、減圧吸引作用を利用した毛穴の汚れ除去がある。（例えば特許公開平５−０４２０６０参照）。
【０００３】
【発明が解決しようとする課題】
しかしながらこれらの、減圧吸引作用を利用した器具の場合、一般的に動力を必要とする為、機構が複雑となる。また、減圧吸引作業は肌の一箇所一箇所を断続して行うため、効率が悪かった。さらには、毛穴中の皮脂、汚れを挟んで押出すものでは無い為効果は限定されており、且つ脱毛及び皮膚のマッサージ効果はなかった。
【０００４】
そこで本発明は、皮膚を挟み込むことにより毛穴中の皮脂、汚れを強制的に押し出す。その作業を連続した面として簡易に効率よく行う。また、その作業に伴い脱毛、皮膚のマッサージ効果の有る器具を提供することを課題とする。
【０００５】
【課題を解決するための手段】
以上の課題を解決するために、発明が提供する美容器具は、内部に収納部をもつハウジングと、このハウジングに支持された回転軸を介して軸回りに回転可能に所定の間隔で保持される複数枚の可撓変形可能な円板と、前記ハウジングに取り付け前記円板側面をその回転軸方向に押圧し、隣り合う円板間を狭めることのできる押圧手段とよりなり、かつ前記複数枚の円板は、ほぼ同一の半径を有し、押圧手段で押圧したとき、周端面が同一面となるように密着する形状を有していることを特徴とするものである。
【０００６】
また、上記美容器具には、円板の間に嵌合する櫛状の掻き取り板を具備することを特徴とするものである。
【０００７】
【発明の実施の形態】
以下に、図面を参照して本発明の実施の形態を説明する。
【０００８】
図１は作動部１とこれに脱着可能に組み付けられた把持部１３よりなる本発明の実施例の側面図である。
【０００９】
図２は本発明の美容器具の平面図を示す。
【００１０】
図３は本発明を実施した作動部１のＡ−Ａ断面拡大図を示す。図において、Ｕ字型に構成するハウジング２ａとハウジング２ｂにはそれぞれ、推力回転軸受５が同軸に嵌入されており、回転軸４の両端を支持する。前記回転軸４には複数（本実施例では７枚）の可撓変形可能な円板６ａ、６ｂ、６ｃが、一定の間隔となるように、スペーサ７と交互に組み合わされて保持される。また、前記ハウジング２ａとハウジング２ｂには、前記円板６ａ、６ｂ，６ｃを軸心方向に押圧狭持する回転可能な押し付け体１０と、これを支持する支持軸８を設ける。さらに、前記ハウジング２には、前記円板６の間に嵌合する櫛状の掻き取り板１５を付属する。
【００１１】
なお、上述した実施形態では、円板６ａ，６ｂ，６ｃの厚みをそれぞれ、０．３ｍｍ、０．２ｍｍ、０．５ｍｍとし、またスペーサ７の厚みを０．７ｍｍとしたが、これは限定されるものではなく皮膚を傷つけない範囲の他の設定でもよい。
【００１２】
また、同じく上述した実施形態では、円板６及びスペーサ７の材質を金属としたが、他のたとえばエンジニアリングプラスチックス類を使用してもよい。
【００１３】
また、同じく上述した実施形態では、押し付け体１０は回転可能としたが、他の突起状の形状でもよい。
【００１４】
図４は円板６の押圧されてない部分を拡大した要部の断面説明図である。実施例では、外側の円板６ａ、６ｂの半径を、円板６ｃより若干大きくしたほぼ同一半径の円板とし、且つ周端面の軸方向断面形状を曲線、直線としたが、凹三角でもよい。
【００１５】
図５は円板６の周端部が押圧された部分を拡大した要部の断面説明図である。押圧された状態において円板６は、その周端部がほぼ同一面となる。
【００１６】
図６は図３の要部を矢印Ｚ方向より見た平面図である。ハウジング２ａとハウジング２ｂのそれぞれに、支持軸８にて支持された一対の押し付け体１０が設けられる。
【００１７】
図７は図３に対応した他の第２実施例の形態を示し、ハウジング２ｃとハウジング２ｄに支持された回転軸４ｂを介して軸廻りに回転可能に保持された円板２０を設けたものである。
【００１８】
図８は図５に対応し他の第３実施例の形態を示し、円盤６を回転軸方向に両側より押圧する押し付け体１０と、これを支持する支持軸８を円周方向に複数設けて、円盤が密着する部分の長さをより多くしたものである。
【００１９】
【発明の効果】
請求項１に記載の発明によれば、把持部を握持し、可撓変形可能で一定の間隔に保持された複数の円板からなる作動部を肌に押し当てると、肌にすじが波状に生じる。この波状の凸部は、作動部の移動転動に伴って円板が押圧部位に回転移動しその間隔を徐々に狭くすることにより、さらに挟みつけられる事となる。最終的に円板は押し付け体の位置において密着する。この変化に伴い円板周端面の接する皮膚がはさみつけられ、除々に絞られるため、皮脂や汚れを毛穴から押し出すことが可能となる。尚、円板は適切な厚みを有することにより密着時において皮膚を挟みこむことはなく、密着面が同一面を形成し肌と接する。
【００２０】
また前記記載の動作に従えば、密着した円板は皮膚にある体毛を挟みながら転動する事となり、体毛が毛穴より抜き取られ脱毛される。
【００２１】
さらには複数の円板の転動にともない、その条痕が皮膚の刺激、マッサージ効果を発生し、血流がよくなり、活性化する。
【００２２】
本発明は前記効果に加え、動力を必要としないため構造を極めて簡略化する事ができ、且つその形状は小型のため携帯性、操作性に優れている。
【００２３】
請求項２においては、請求項１に記載の構成に加えて、円板に嵌合する掻き取り板を具備することにより、円板側面に付着した皮脂等の汚れを除去し、本器具の衛生面での管理が容易となり、清潔な状態を保つ事となる。
【図面の簡単な説明】
【図１】第一実施例の美容器具の全体側面図である。
【図２】図１の平面図である。
【図３】図１のＡ−Ａ断面拡大図である。
【図４】円板の周端面の押圧されていない位置の軸方向形状を示す断面拡大図である。
【図５】円板の周端面の押圧された位置における軸方向形状を示す断面拡大図である
【図６】図３の要部を矢印Ｚ方向より見た平面図である。
【図７】他の第２実施例を示す断面図で、図３に対応する。
【図８】第３実施例を示す断面図で、図６に対応する。
【符号の説明】
１，１ｂ  作動部
２ａ，２ｂ，２ｃ，２ｄ  ハウジング
４，４ｂ  回転軸
５  推力回転軸受
６ａ，６ｂ，６ｃ  円板
７  スペーサ
８  支持軸
１０  押し付け体
１３  把持部
１５  掻き取り板
２０  円板
【図１】
2005013685.tif 000003
【図２】
2005013685.tif 000004
【図３】
2005013685.tif 000005
【図４】
2005013685.tif 000006
【図５】
2005013685.tif 000007
【図６】
2005013685.tif 000008
【図７】
2005013685.tif 000009
【図８】
2005013685.tif 000010